(57)【要約】【課題】省労力で効率よく作業することができ、しかも、取り外した折板を再使用することができる馳外し治具を提供する。【解決手段】嵌合部１と被嵌合部２との馳締め３により接続された折板４、４を分離するにあたって、嵌合部１と被嵌合部２との馳締め３を外すための馳外し治具に関する。嵌合部１と被嵌合部２との間に挿入させる挿入部１０を有する。挿入部１０には嵌合部１と被嵌合部２との間に挿入するに従って嵌合部１と被嵌合部２とを徐々に離間させるための傾斜部１１を備える。【選択図】図１
2010133122.tif 000002
【特許請求の範囲】
【請求項１】
嵌合部と被嵌合部との馳締めにより接続された折板を分離するにあたって、嵌合部と被嵌合部との馳締めを外すための馳外し治具であって、嵌合部と被嵌合部との間に挿入させる挿入部を有し、挿入部には嵌合部と被嵌合部との間に挿入するに従って嵌合部と被嵌合部とを徐々に離間させるための傾斜部を備えて成ることを特徴とする馳外し治具。
【請求項２】
傾斜部の傾斜方向の異なる複数の挿入部を備えて成ることを特徴とする請求項１に記載の馳外し治具。
【請求項３】
馳締めされた嵌合部の外面に接触することにより嵌合部及び被嵌合部を支持するための支持部を挿入部と対向させて設けて成ることを特徴とする請求項１又は２に記載の馳外し治具。
【請求項４】
請求項１乃至３のいずれかに記載の馳外し治具を用いた馳外し方法であって、折板の長手方向の一端から嵌合部と被嵌合部の間に挿入部を挿入した後、馳外し治具を折板の長手方向の他端へと移動させることによって、挿入部の傾斜部で嵌合部と被嵌合部とを徐々に離間させることを特徴とする馳外し方法。
【発明の詳細な説明】
【技術分野】
【０００１】
本発明は、屋根材等として敷設されている折板を改修するときなどに用いる馳外し治具及び馳外し方法に関するものである。
【背景技術】
【０００２】
従来より、折板屋根を形成するにあたっては、複数の折板を並べて母屋等の屋根下地に敷設し、隣接する折板を馳締めにより接続するようにしている。この馳締めは、折板（敷き込み側）の長手方向の一端に設けた被嵌合部に、他の折板（被せ側）の長手方向の他端に設けた嵌合部を被せて嵌合部と被嵌合部とを嵌合した後、嵌合部と被嵌合部とを手動又は電動の馳締め装置（シーマー）を用いて折り曲げ加工することにより締め合わせて連結するものである（例えば、特許文献１、２参照）。このような馳締めは、一旦、締め合わせると外すのが非常に困難である。従って、音鳴りなどの施工不具合で施工をやり直す場合や経時劣化で折板を交換する場合において、折板を屋根から取り外すときには、非常に多大な労力を要し効率の悪いものであった。すなわち、折板を屋根から取り外すときには、屋根の上に数メートルから数十メートルにわたって多数の作業者が並び、取り外す対象の折板の長手端部（ケラバ側の端部）を作業者が掴んで引き上げて剥がすようにする。これにより、図１２（ａ）の状態に連結された折板４、４のうちの一方を他方に対して、馳締め３の部分を中心として上方に回動させることができ、図１２（ｂ）に示すように、回動させていない折板４の被嵌合部２から回動させた折板４の嵌合部１を外すことができるものである。
【特許文献１】特開２００８−２２３２８０号公報
【特許文献２】特開２０００−１４５０７７号公報
【発明の開示】
【発明が解決しようとする課題】
【０００３】
しかし、上記の方法で折板を取り外した場合、機械化できないために多数の作業者が同時に作業しなければならず、非常に多大な労力を要し効率の悪いものであった。しかも、馳締め部分に大きな負荷がかかることから、嵌合部及び被嵌合部に本来ないはずの接続に不都合な変形が生じてしまい、取り外した折板を再使用することができないおそれがあった。
【０００４】
本発明は上記の点に鑑みてなされたものであり、省労力で効率よく作業することができ、しかも、取り外した折板を再使用することができる馳外し治具及び馳外し方法を提供することを目的とするものである。
【課題を解決するための手段】
【０００５】
本発明の請求項１に係る馳外し治具Ａは、嵌合部１と被嵌合部２との馳締め３により接続された折板４、４を分離するにあたって、嵌合部１と被嵌合部２との馳締め３を外すための馳外し治具Ａであって、嵌合部１と被嵌合部２との間に挿入させる挿入部１０を有し、挿入部１０には嵌合部１と被嵌合部２との間に挿入するに従って嵌合部１と被嵌合部２とを徐々に離間させるための傾斜部１１を備えて成ることを特徴とするものである。
【０００６】
本発明の請求項２に係る馳外し治具Ａは、請求項１において、傾斜部１１の傾斜方向の異なる複数の挿入部１０を備えて成ることを特徴とするものである。
【０００７】
本発明の請求項３に係る馳外し治具Ａは、請求項１又は２において、馳締めされた嵌合部１の外面に接触することにより嵌合部１及び被嵌合部２を支持するための支持部１３を挿入部１０と対向させて設けて成ることを特徴とするものである。
【０００８】
本発明の請求項４に係る馳外し方法は、請求項１乃至３のいずれかに記載の馳外し治具Ａを用いた馳外し方法であって、折板４の長手方向の一端から嵌合部１と被嵌合部３の間に挿入部１０を挿入した後、馳外し治具Ａを折板４の長手方向の他端へと移動させることによって、挿入部１０の傾斜部１１で嵌合部１と被嵌合部２とを徐々に離間させることを特徴とするものである。
【発明の効果】
【０００９】
請求項１の発明では、人力だけでなく機械を用いて挿入部を嵌合部と被嵌合部との間に挿入していくことができ、人力を少なくして機械化することにより省労力で効率よく作業することができるものである。しかも、嵌合部と被嵌合部とを傾斜部で徐々に離間させていくために、嵌合部と被嵌合部とに大きな負荷がかからず、接続に不都合な変形が生じないようにすることができ、取り外した折板を再使用することができるものである。
【００１０】
請求項２の発明では、向きの異なる複数の馳締めの部分に容易に対応して使用することができ、馳外しの作業効率を向上させることができるものである。
【００１１】
請求項３の発明では、挿入部で押圧される嵌合部及び被嵌合部を支持部で支持することができ、接続に不都合な変形が生じないようにすることができ、取り外した折板を再使用することができるものである。
【００１２】
請求項４の発明では、人力だけでなく機械を用いて挿入部を嵌合部と被嵌合部との間に挿入していくことができ、人力を少なくして機械化することにより省労力で効率よく作業することができるものである。しかも、嵌合部と被嵌合部とを傾斜部で徐々に離間させていくために、嵌合部と被嵌合部とに大きな負荷がかからず、接続に不都合な変形が生じないようにすることができ、取り外した折板を再使用することができるものである。
【発明を実施するための最良の形態】
【００１３】
以下、本発明を実施するための最良の形態を説明する。
【００１４】
本発明の馳外し治具Ａは、鉄やステンレス鋼などの金属板を折り曲げ加工したり切削加工したりして形成することができる。本発明では、折板４との滑り性を考慮して、表面の滑り性の高いクロームめっき等の処理を施してもよい。この馳外し治具Ａは、図２に示すように、中央に形成される平面視で矩形状の取付部２０と、取付部２０の両方の長手端部から突出する一対の突出部２１と、各突出部２１の上面に形成される挿入部１０とを備えて形成されている。突出部２１及び挿入部１０は取付部２０を挟んで鏡面対象に形成されている。また、取付部２０の上面には前後一対の丸棒状の把持部２２が立設されている。尚、この例では、左右一対の挿入部１０を有するが、いずれか一方であってもよい。
【００１５】
図３に示すように、上記の挿入部１０は縦挿入片２３と横挿入片２４及び傾斜部１１を有して形成されている。縦挿入片２３は突出部２１の側端前部に略鉛直上方に向かって突設されており、また取付部２０の側面前部と対向するように形成されている。傾斜部１１は突出部２１の側端後部で縦挿入片２３の後側に形成されている。また、傾斜部１１は取付部２０の側面前部と対向するように形成されているが、この面が傾斜面１１ａと平坦面１１ｂとで構成されている。傾斜面１１ａは前から後ろに向かって上り傾斜し、且つ下から上に向かって上り傾斜するように形成されている。このように傾斜部１１は角馳の形状に合わせて馳締めが起き上がるように楔形に形成されている。また、平坦面１１ｂは鉛直面として形成されている。横挿入片２４は縦挿入片２３と傾斜部１１の上側に形成されている。横挿入片２４の先端は縦挿入片２３の先端と傾斜部１１の先端との間に位置している。また、横挿入部２４は、先端から中間部分にまで徐々に幅寸法が大きくなる差込部２４ａと、中間部分から後端にまで一定の幅寸法の定幅部２４ｂとで構成されている。定幅部２４ｂは傾斜部１１の平坦部１１ｂの部分と略同じ幅寸法に形成されている。
【００１６】
本発明は、馳締めにより接続された折板４に対して使用することができる。折板４としては図４に示すようなものを例示することができる。この折板４は塗装鋼板や亜鉛めっき鋼板などの金属板を折り曲げ加工して形成されるものであって、屋根の傾斜方向（流れ方向）に長尺に形成されるものである。また、折板４は断面略Ｕ字状に形成されており、平板状の谷部５０と、その両側から斜め上方に向かって突出する山部半体５１、５１とを備えて形成されている。一方の山部半体５１の上部は、谷部５０と反対側に向かって突出する頂部片５２と、頂部片５２の端部から上方に向かって突出する断面略逆Ｕ字状の嵌合部１とから構成されている。嵌合部１は、頂部片５２から上方に向かって突出する縦片１ａと、縦片１ａの上端から略水平に突出する横片１ｂと、横片１ｂの先端から下方に向かって突出して縦片１ａと対向配置された締め付け片１ｃとから構成されており、締め付け片１ｃの下部には縦片１ａ側に向かって突出する押さえ部１ｄが形成されている。また、他方の山部半体５１の上部は、谷部５０と反対側に向かって突出する頂部片５２と、頂部片５２の端部から上方に向かって突出する断面略逆Ｌ字状の被嵌合部２とから構成されている。被嵌合部２は、頂部片５２から上方に向かって突出する立設片２ａと、立設片２ａの上端から略水平に突出する係合片２ｂとで構成されており、係合片２ｂの先端には折り返し部２ｃが形成されている。
【００１７】
そして、嵌合部１と被嵌合部２とを嵌合した後に馳締めすることにより、隣接する折板４の山部半体５１、５１同士を連結し、隣接する折板４、４を接続することができる。また、連結された山部半体５１、５１からなる山部と谷部とが交互に繰り返した折板屋根となる。ここで、馳締め３を形成するにあたっては、被嵌合部２の外側に嵌合部１を被せた後、嵌合部１の締め付け片１ｃを上方に向かって折り曲げて被嵌合部２の係合片２ｂの下面に係止するようにして行うことができる。
【００１８】
本発明の馳外し治具Ａは上記のような嵌合部１と被嵌合部２との馳締め３を外すための治具であるが、馳締め３を外すにあたっては以下のようにして行う。
【００１９】
まず、母屋などの屋根下地に敷設されて接続された折板４、４の軒側端部又は棟側端部の一端から馳締め３に馳外し治具Ａを近づけて、図１（ａ）に示すように、馳締め３の嵌合部１の押さえ部１ｄと被嵌合部２の立設片２ａとの間に縦挿入片２３を差し込む。このとき、馳締め３の突出方向は折板４の葺き方によって変わってくるため、軒側端部又は棟側端部の片方からしか馳外し治具Ａの挿入部１０を差し込むことができない場合は、左右一対の挿入部１０、１０のうち、馳締め３の嵌合部１の縦片１ａからの横片１ｂの突出方向、及び被嵌合部２の立設片２ａからの係合片２ｂの突出方向に応じて、差し込み可能な方の挿入部１０を選択して用いる。
【００２０】
次に、馳外し治具Ａを折板４の長手方向に沿って上記一端から他端へと移動させていく。これにより、挿入部１０を順次馳締め３の全長にわたって挿入していくことにより、嵌合部１の締め付け片１ｃを徐々に起こすように変形させて係合片２ｂとの係合を解除するものである。すなわち、図１（ａ）に示すように、押さえ部１ｄと立設片２ａとの間に縦挿入片２３を挿入した後、図１（ｂ）に示すように、嵌合部１の締め付け片１ｃと被嵌合部２の係合片２ｂとの間に横挿入片２４の差込部２４ａが挿入される。この後、図１（ｃ）に示すように、締め付け片１ｃと係合片２ｂとの間に差込部２４ａがさらに挿入されると共に、傾斜部１１の先部が押さえ部１ｄと立設片２ａとの間に挿入され、押さえ部１ｄが傾斜面１１ａにより下方に押圧される。次に、図１（ｄ）に示すように、嵌合部１の締め付け片１ｃと被嵌合部２の係合片２ｂとの間に横挿入片２４の定幅部２４ｂが挿入されると共に、押さえ部１ｄが傾斜面１１ａによりさらに下方に押圧される。最後に、図１（ｅ）に示すように、締め付け片１ｃと立設片２ａとの間に挿入部１０の後端部を挿入することにより、平坦面１１ｂで押さえ部１ｄが立設片２ａから離れる方向に押される。このようにして、図５（ａ）（ｂ）に示すように、折板４の全長にわたって締め付け片１ｃを変形させて係合片２ｂとの係合を外すことにより、馳締め３を外すことができるものである。この後、嵌合部１と被嵌合部２との嵌合を外すことにより、隣接する折板４、４の接続を解除することができるものである。尚、馳外し治具Ａを上記のように移動させるにあたっては、作業者が把持部２２を持って操作することができ、また、ウインチ等の引っ張り装置を用いて把持部２２をワイヤー等で引っ張って移動させることもできる。
【００２１】
本発明の馳外し治具Ａでは、多数の作業者が同時に作業しなくても、１又は２人程度の少人数の作業者により馳締め３を外すことができ、省労力で作業することができるものである。しかも、ウインチ等の引っ張り装置を用いて馳外し治具Ａを移動させることができ、機械化により人力を要せずに馳締め３を外すことができる。また、傾斜部１１により嵌合部１の締め付け片１ｃを徐々に変形させて被嵌合部２の係合片２ｂから離間させるので、馳締め部分に大きな負荷がかかることがなく、接続に不都合な変形が嵌合部１及び被嵌合部２に生じることがなくなり、取り外した折板４を再使用することができるものである。
【００２２】
本発明の馳外し治具Ａを用いることにより、施工時の不具合による緊急の折板の取り外し、漏水や腐食により一部点検のための折板の取り外し、屋根の修繕のための折板の取り外し、既存二重折板の高断熱化や音鳴り防止策等の性能改善工事による折板の取り外しなどを容易にかつ部分的に折板を取り外して行うことができ、折板の再利用を図ることができる。また、屋根の全面にわたって折板を外した場合や外した折板を処分する場合でも、形状が崩れずかつ１枚1枚を外すことができるため、仮置きや取り扱いが容易になり、大掛かりなレッカーや重機を使用した撤去作業の必要もなく、施工現場の状況に合わせて柔軟に対応できるものである。しかも、折板４をほぼ施工前の形状に戻すことができるため、再び電動シーマー等による取り付けが可能となる。尚、上記従来の外し方では馳形状が本来にない変形をし、電動シーマーによる再施工は不可能であった（再利用自体もほとんどできないものであった）。
【００２３】
図６（ａ）（ｂ）に他の実施の形態を示す。この馳外し治具Ａは、嵌合部１及び被嵌合部２を支持するための支持部１３を具備するものであり、その他の構成は上記の図２のものと同様である。支持部１３は馳締め３の嵌合部１の横片１ｂの上面に接触する上ローラ１３ａで形成することができる。この上ローラ１３ａは把持部２２の下部から略水平に突出した回転軸２５を中心として回転自在に形成されている。また、上ローラ１３ａは挿入部１０の上方に間隙を介して設けられている。また、上ローラ１３ａは各把持部２２に一個ずつ設けて前後一対で形成されている。
【００２４】
この馳外し治具Ａも上記と同様にして、挿入部１０を嵌合部１と被嵌合部２との間に差し込みながら移動させることにより馳締め３を外すものであるが、挿入部１０の移動とともに上ロール１３ａが馳締め３の嵌合部１の横片１ｂの上面に接触しながら転動して支持するものであり、これにより、嵌合部１の横片１ｂや被嵌合部２の係合片２ｂが挿入部１０により下から不用意に押圧されても変形を防止することができ、接続に不都合な変形が嵌合部１及び被嵌合部２にさらに生じにくくなるものである。
【００２５】
図７（ａ）（ｂ）に他の実施の形態を示す。この馳外し治具Ａは、嵌合部１及び被嵌合部２を支持するための支持部１３として横ローラ１３ｂを具備するものであり、その他の構成は上記の図６のものと同様である。この横ローラ１３ｂは略鉛直方向に長い回転軸２６を中心として水平面で回転自在に形成されており、回転軸２６の上部は連結部２７により把持部２２に連結されている。また、横ローラ１３ｂは挿入部１０の側方（取付部２０と反対側）に間隙を介して設けられている。また、横ローラ１３ｂは各把持部２２に一個ずつ設けて前後一対で形成されている。さらに、横ローラ１３ｂは上ローラ１３ａよりも下側で外側（取付部２０と反対側）に配置されている。
【００２６】
この馳外し治具Ａも上記と同様にして、上ローラ１３ａで嵌合部１及び被嵌合部２の変形を防止すると共に、挿入部１０を嵌合部１と被嵌合部２との間に差し込みながら移動させることにより馳締め３を外すものであるが、挿入部１０の移動とともに横ロール１３ｂが馳締め３の嵌合部１の縦片１ａの外面（締め付け片１ｃと反対側の面）に接触しながら転動して支持するものであり、これにより、嵌合部１の縦片１ｂや被嵌合部２の立設片２ａが挿入部１０により横から不用意に押圧されても変形を防止することができ、接続に不都合な変形が嵌合部１及び被嵌合部２にさらに生じにくくなるものである。
【００２７】
図８（ａ）（ｂ）に他の実施の形態を示す。この馳外し治具Ａは、取付部２０の前端にフック受け材２７が設けられている。このフック受け材２７にはワイヤー等に取り付けたフックを掛架し、このワイヤー等をウインチ等の引っ張り装置で引っ張ることにより馳外し治具Ａを移動させることができ、容易に機械化を図ることができるものである。また、取付部２０の後端にハンマー打撃部２８が突設されている。このハンマー打撃部２８はハンマーで打撃する箇所であり、この打撃により馳外し治具Ａを容易に移動させることができるものである。さらに、取付部２０の前後端でフック受け材２７及びハンマー打撃部２８の下側にはガイドロール２９が設けられている。ガイドロール２９は鉛直方向に対して約４５°傾いた回転軸を有するものであり、馳外し治具Ａを移動させる際に、折板４の山部半体５１と頂部片５２との境界部分に接触して転動させることにより、馳外し治具Ａをガイドしながらスムーズに移動させることができるものである。
【００２８】
図２に示す馳外し治具Ａは角馳形状の馳締め３に対応するものであるが、図９に示すように、丸馳形状の馳締め３にも対応することができる。図１１（ａ）に示すように、丸馳形状の馳締め３は嵌合部１及び被嵌合部２が丸みを帯びており、被嵌合部２に嵌合部１を上側から弾性的に嵌め込むことによって、隣接する折板４、４を接続するものである。嵌合した嵌合部１と被嵌合部２とは、被嵌合部２の基部近傍に突設した被係着部３０に、嵌合部１の先端に設けた係着部３１を係止するものである。尚、嵌合部１及び被嵌合部２以外の形状は上記折板４と同様である。
【００２９】
一方、馳外し治具Ａの挿入部１０は、縦挿入片２３と上挿入部３３及び傾斜部１１で形成されている。縦挿入片２３は突出部２１の側端前部に略鉛直上方に向かって突設されており、また取付部２０の側面前部と対向するように形成されている。傾斜部１１は突出部２１の側端後部で縦挿入片２３の後側に形成されている。また、傾斜部１１は取付部２０の側面前部と対向するように形成されているが、この面が複数の傾斜面１１ａと平坦面１１ｂとで構成されている。傾斜面１１ａは前から後ろに向かって上り傾斜し、且つ下から上に向かって上り傾斜するように形成されている。このように傾斜部１１は丸馳の形状に合わせて馳締めが起き上がるように形成されている。また、平坦面１１ｂは鉛直面として形成されている。上挿入部３３は傾斜部１１の上面に突設されており、上挿入部３３の上面は前から後ろに向かって上り傾斜する複数の傾斜角度の異なる傾斜面３３ａで形成されている。そして、上挿入部３３の側方で傾斜部１１の上方の空間が挿入凹部３４として形成されている。
【００３０】
このような馳外し治具Ａを用いて丸馳形状の馳締め３を外すにあたっては次のようにして行う。まず、母屋などの屋根下地に敷設されて接続された折板４、４の軒側端部又は棟側端部の一端から馳締め３に馳外し治具Ａを近づけて、図１１（ｂ）に示すように、馳締め３の嵌合部１の係着部３１と被嵌合部２の被係着部３０との間に縦挿入片２３を差し込む。このとき、馳締め３の突出方向は折板４の葺き方によって変わってくるため、軒側端部又は棟側端部の片方からしか馳外し治具Ａの挿入部１０を差し込むことができない場合は、左右一対の挿入部１０、１０のうち、差し込み可能な方の挿入部１０を選択して用いる。次に、馳外し治具Ａを折板４の長手方向に沿って上記一端から他端へと移動させていく。これにより、挿入部１０を順次馳締め３の全長にわたって挿入していくことにより、嵌合部１の係着部３１を徐々に起こすように変形させて被係着部３０との係合を解除するものである。すなわち、図１１（ｂ）に示すように、係着部３１と被係着部３０との間に縦挿入片２３を挿入した後、図１１（ｃ）に示すように、係着部３１と被係着部３０との間に傾斜部１１が挿入される。この後、図１１（ｄ）に示すように、係着部３１と被係着部３０との間に傾斜部１１がさらに挿入されると共に、上挿入部３３が係着部３１と被係着部３０との間に挿入される。このとき、被係着部３０は挿入凹部３４に挿入されることになる。最後に、図１１（ｅ）に示すように、係着部３１と被係着部３０との間に挿入部１０の後端部を挿入することにより、平坦面１１ｂで係着部３１が被係着部３０から離れる方向に押される。このようにして折板４の全長にわたって嵌合部１を変形させて被嵌合部２との係合を外すことにより、馳締め３を外すことができるものである。この後、嵌合部１と被嵌合部２との嵌合を外すことにより、隣接する折板４、４の接続を解除することができるものである。
【００３１】
尚、図９の馳外し治具Ａに上記と同様の支持部１３やフック受け材２７やハンマー打撃部２８を設けてもよい。
【図面の簡単な説明】
【００３２】
【図１】本発明の馳外し方法の実施の形態の一例を示し、（ａ）〜（ｅ）は断面図である。
【図２】本発明の馳外し治具の実施の形態の一例を示す斜視図である。
【図３】同上の一部を示す斜視図である。
【図４】同上の折板を示す斜視図である。
【図５】同上の馳外し方法の実施の形態の一例を示し、（ａ）は断面概略図、（ｂ）は側面概略図である。
【図６】同上の馳外し方法の実施の形態の他例を示し、（ａ）は断面概略図、（ｂ）は側面概略図である。
【図７】同上の馳外し方法の実施の形態の他例を示し、（ａ）は断面概略図、（ｂ）は側面概略図である。
【図８】同上の馳外し方法の実施の形態の他例を示し、（ａ）は断面概略図、（ｂ）は側面概略図である。
【図９】本発明の馳外し治具の実施の形態の他例を示す斜視図である。
【図１０】同上の一部を示し、（ａ）（ｂ）は斜視図である。
【図１１】本発明の馳外し方法の実施の形態の他例を示し、（ａ）〜（ｅ）は断面図である。
【図１２】従来例を示し、（ａ）（ｂ）は断面図である。
【符号の説明】
【００３３】
Ａ  馳外し治具
１  嵌合部
２  被嵌合部
３  馳締め
４  折板
１０  挿入部
１１  傾斜部
１３  支持部
【図１】
2010133122.tif 000003
【図２】
2010133122.tif 000004
【図３】
2010133122.tif 000005
【図４】
2010133122.tif 000006
【図５】
2010133122.tif 000007
【図６】
2010133122.tif 000008
【図７】
2010133122.tif 000009
【図８】
2010133122.tif 000010
【図９】
2010133122.tif 000011
【図１０】
2010133122.tif 000012
【図１１】
2010133122.tif 000013
【図１２】
2010133122.tif 000014